(57)【特許請求の範囲】
【請求項１】
汚水池の底部に揚砂ポンプを備えた砂溜ピットと、ポンプピットとを配設し、この汚水池底部に砂溜ピットへ沈砂を搬送集砂するように複数の噴気流発生ノズルを配置すると共に、該噴気流発生ノズルを作動させる時は、池底に沈殿した砂の舞い上がりを防止する池底を覆う大きさを備えた仕切板を昇降手段にて池底近傍に設置し、噴気流発生ノズルを作動させない時は、前記仕切板を昇降手段にて汚水池の水面より上方位置に引き上げて待機させるようにしたことを特徴とする汚水池における揚砂装置。
【請求項２】
仕切板の下面には沈砂を集砂方向に流れを整える整流板を設けたことを特徴とする請求項１記載の汚水池における揚砂装置。
【発明の詳細な説明】
【０００１】
【発明の属する技術分野】
本発明は、汚水池における揚砂装置、特に噴気流発生ノズル作動時、仕切板を降下させて沈砂の舞い上がりを防いで集砂ピットへ確実に移動集砂して揚砂するようにした汚水池における揚砂装置に関するものである。
【０００２】
【従来の技術】
従来、下水道設備、ポンプ場等の汚水池において池底に沈積した汚砂は、図７に示すように汚水池１の底部に砂溜ピット２を設け、底面にはジェットノズル１２を配し、このノズルを順次噴射してこの噴射水圧にて沈砂を砂溜ピット側に集砂している。この場合の池底はほぼ水平である。また、図８に示すように汚水池１の底面を階段状の段違いに配し、各段池底にそれぞれジェットノズル１２を配し、このノズルを順次高い位置から低い位置方向へ噴射してこの噴射水圧にて沈砂を砂溜ピット側に集砂し、これを揚砂ポンプにて排出している。
また、池底にスクリューコンベアを敷きしめてこのコンベアの駆動にて集砂している。
【０００３】
【発明が解決しようとする課題】
上記従来の汚水池における揚砂装置においては、ジェットノズル式ではジェット水の噴射流が拘束されていないので図１０、図１２に示すように流れの方向性をもたず、ジェット水の噴射流にて沈殿した砂が前方へ移送されると共にその一部が再び舞い上がり、その一部が下流へ流下するものとなり、揚水ポンプや、次工程の処理に影響を与えるものとなっている。さらに砂の舞い上がりにより沈殿砂が再び拡散し集砂効率が悪くなっている。この沈殿砂の舞い上がりと下流への流下を抑制するには汚水池に流入する原水を停止して行うことが考えられるが、汚水池のように絶えず流れのある処では停止することができないという問題点がある。
また、スクリューコンベア式等の機械式集砂装置では、可動部が汚砂の混合した汚水中にあるため、可動部の磨耗が激しく寿命が短く、また汚物等の噛み込み等にてトラブルが生じやすく、さらには維持管理費が高くつくという問題点があった。
本発明は、上記従来の汚水池における揚砂装置の有する問題点を解決し、集砂時汚水層と沈殿した砂層とを降下させた仕切板にて仕切り、ノズルからの噴流水による沈殿砂の舞い上がりを防止して集砂及び搬送効率を向上させ確実に集砂揚砂を行う汚水池における揚砂装置を提供することを目的とする。
【０００４】
【課題を解決するための手段】
上記目的を達成するため、本発明の汚水池における揚砂装置は、汚水池の底部に揚砂ポンプを備えた砂溜ピットと、ポンプピットとを配設し、この汚水池底部に砂溜ピットへ沈砂を搬送集砂するように複数の噴気流発生ノズルを配置すると共に、該噴気流発生ノズルを作動させる時は、池底に沈殿した砂の舞い上がりを防止する池底を覆う大きさを備えた仕切板を昇降手段にて池底近傍に設置し、噴気流発生ノズルを作動させない時は、前記仕切板を昇降手段にて汚水池の水面より上方位置に引き上げて待機させるようにしたことを特徴とする。
【０００５】
上記の構成からなる本発明の汚水池における揚砂装置は、汚水池に沈殿した砂を揚砂のために、噴気流発生ノズルの噴流水圧を利用して砂溜ピット内に集める時のみ、汚水池内の汚水層と、沈殿した砂層とを、水面上で待機させていた池底を覆う大きさを備えた仕切板を降下させ、この仕切板にて仕切り、その後ノズルからの噴流水により沈殿砂を流下させるようにしているので、沈殿砂の舞い上がりを防止することができ、かつ集砂及び搬送効率を向上させ確実に砂溜ピットへの集砂及び揚砂を行うことができるものとなる。
【０００６】
この場合において、池底に沈殿した砂の舞い上がりを防止する仕切板の下面には沈砂を集砂方向に流れを整える整流板を設ける。
【０００７】
上記の構成からなる本発明の汚水池における揚砂装置は、仕切板の下面には整流板を設けているので、噴気流発生ノズルより噴射される噴流水圧を整流する事ができ、これにより沈砂の流れを集砂方向に整えられ、噴射水量を抑制して効率的な集砂及び搬送が行える。
【０００８】
【発明の実施の形態】
以下、本発明の汚水池における揚砂装置の実施の形態を図面に基づいて説明する。
図において１はポンプ場、下水道処理場等における所要の形状と大きさを備えた汚水池で、この汚水池１の原水を流入する側には除塵機１０を配設して流入する原水中のし渣を予め除去し汚水のみを汚水池内に流入するようにすると共に、この汚水池１の底部１１に集砂用の砂溜ピット２と、ポンプピット３とを形成し、砂溜ピット２内には揚砂ポンプ６を、ポンプピット３内には揚水ポンプ４をそれぞれ配置し、汚水池１の池底面を図示のように水平面とするか、若しくは砂溜ピット２側が低くなるよう傾斜面とするとともに、池底に沈降した汚砂が順次砂溜ピット２へ流動集砂されるように池底面に複数の噴気流発生ノズル（ジェットノズル）１２，１２・・・を複数列状にして配設する。
【０００９】
この噴気流発生ノズル１２の配置は、図１、図２に詳示するように、汚水池の長手方向に対してはこのノズルよりの噴流にて沈降した汚砂が砂溜ピット２側の下流域へ流動する間隔にして複数列に配列配置するとともに、汚水池の幅方向に対しては池全幅に亘って均一に流れる間隔で夫々配置するもので、図示のように砂溜ピット２の両側にそれぞれ噴気流発生ノズル１２を互いに対向するように配置し、中央の砂溜ピット２へ両方向から集砂するようにするか、または一方向へ沈砂が流動するように配設する。
【００１０】
汚水池１の砂溜ピット２内に設ける揚砂ポンプ６は、遠心羽根式の水中ポンプ、混気ジェットポンプ等を採用して砂溜ピット２内に集砂される沈殿砂をこの揚砂ポンプに接続した排砂管７を経て汚水池１へ排出する。そしてこの砂溜ピット２は、擂鉢状となっており、最下部に配した揚砂ポンプにて確実に排出できるようにする。
【００１１】
ポンプピット３内に設ける揚水ポンプ４には配水管５を接続して、原水中の砂部分を予め沈殿除去した汚水を配水管より揚水し汚水池１へ排水する。なお、このポンプピット３の内底面は図示のように砂溜ピットより低く、即ち深くするか、或いは砂溜ピットと同じ深さとしても良い。
【００１２】
また、この汚水池１には昇降手段９を介して仕切板８を吊垂支持する。この仕切板８は平板状で、噴気流発生ノズル作動時、池底に沈殿した砂の舞い上がりを防止するもので、図１乃至図３に示すように砂が沈殿する池底部を覆うような大きさを備えるが、この仕切板８をワイヤー等の索条Ｗにて吊垂し、この索条を昇降手段９を介して巻き上げ、巻き下げにて池底近傍に配置可能として昇降自在に設ける。
【００１３】
この昇降手段９は図１乃至図３に詳示するようにモータ９Ｍにカウンタ軸９Ｋを取り付け、このカウンタ軸９Ｋよりベベルギア９Ｇ、９Ｇを介して巻上軸９Ｓを回動自在に支持し、この巻上軸９Ｓに設けたドラム９Ｄ、９Ｄに前記索条を巻き上げ可能に支持するものである。これにより索条の巻き下げにより仕切板を降下させ、汚水池１の池底近傍の所定位置に吊り下げるようにする。この状態を図１、図２に示す。また、噴気流発生ノズルを作動させない時は、昇降手段９にて索条を巻き上げて、仕切板を汚水池より望ましくは汚水池の水面より上方位置に引き上げて待機させる。
【００１４】
図４乃至図７に示す実施例は仕切板８の下面に整流板８１を配設したもので、噴気流発生ノズル作動時、池底に沈殿した砂の舞い上がりを仕切板にて抑制すると共に、砂溜ピットに向かう方向にかつ汚水池の幅方向に平行して所定間隔で配設する。これにより噴気流発生ノズルを作動して池底に沈殿した砂を順次砂溜ピット方向へ流動搬送する際、ノズルの噴射流を整流板８１にて方向性をもたせることができ、集砂方向に流れを整流し、噴気流発生ノズルの噴射流量が少なくても確実に流動搬送できると共に、各ノズルの噴射を調整することにより噴射水量を抑制することができる。
【００１５】
次に上述のように構成する汚水池における揚砂装置の作動を説明する。汚水池内に沈殿汚砂が一定値以上に達すると、これを自動的に検知或いは周期的に検知して昇降手段９を駆動する。これにより索条の巻き下げにて仕切板は待機位置から降下し、予め定めた汚水池内水面下位置で停止する。次に噴気流発生ノズル３を稼働し、ノズルより噴射される噴流水圧にて沈殿砂は移動される。この場合、砂溜ピットに近い側から順次ノズルを噴射させるか、またはすべてのノズルを同時に噴射させ、停止はほぼ同時に行う。噴気流発生ノズル３にて沈殿砂は舞い上がらんとするが、降下している仕切板にて砂の舞い上がりは防止される。
【００１６】
そして仕切板に整流板が設けられている場合、ノズルからの噴射水は整流されるので流れ方向の各列ごとに噴射させれば噴射水量を低減できると共に、砂溜ピット内に集砂される量が一度に大量とはならないので揚砂ポンプを小型化できる。なお、この揚砂ポンプの駆動は噴気流発生ノズル１２の噴射とほぼ同時とする。沈殿砂の集砂揚砂が完了すると噴気流発生ノズル１２、揚砂ポンプ６を共に停止させ、かつ仕切板を上昇させ待機位置で停止させておくものである。
【００１７】
従って、解放された条件でノズル噴射すると砂の移動は方向、速度共に極めて変動が大きいが仕切板により仕切ることにより流れは一定となり、砂の舞い上がりの防止ができるとともに、集砂効率も大幅に改善されるものとなり、汚水池のように流れのある中でも集砂可能である。さらに集砂量の変動が大幅に低減されるのでポンプの詰まりや水だけ吸うロス時間が低減される。
【００１８】
【発明の効果】
本発明の汚水池における揚砂装置によれば、揚砂のために汚水池に沈殿した砂を、噴気流発生ノズルの噴流水圧を利用して砂溜ピット内に集める時のみ、水面上で待機させていた池底を覆う大きさを備えた仕切板を降下させ汚水池内の汚水層と、沈殿した砂層とを、仕切り、その後ノズルからの噴流水により沈殿砂を流下させるようにしているので、沈殿砂の沈殿した砂層より上方への舞い上がりを防止して、集砂及び搬送効率を向上させることができると共に、確実に砂溜ピットへの集砂及び揚砂を行うことができる利点がある。
【００１９】
また、本発明の請求項２記載の汚水池における揚砂装置によれば、仕切板の下面には整流板を設けているので、噴気流発生ノズルより噴射される噴流水圧を整流する事ができ、これにより沈砂の流れを集砂方向に整えられ、噴射水量を抑制して効率的な集砂及び搬送が行える利点がある。
【００２０】
【図面の簡単な説明】
【図１】  本発明の汚水池における揚砂装置の第１実施例を示す横断正面図である。
【図２】  同縦断側面図である。
【図３】  同平面図である。
【図４】  本発明の汚水池における揚砂装置の第２実施例を示す横断正面図である。
【図５】  同縦断側面図である。
【図６】  同平面図である。
【図７】  従来のジェットノズル式の集砂装置を示す横断正面図である。
【図８】  従来のジェットノズル式の集砂装置を示す縦断正面図である。
【図９】  本発明による仕切板を用いたノズル噴射による集砂の説明図である。
【図１０】  従来例によるノズル噴射による集砂の説明図である。
【図１１】  本発明による仕切板及び整流板を用いたノズル噴射による集砂の説明図である。
【図１２】  従来例によるノズル噴射による集砂の上面より見た説明図である。
【符号の説明】
１    汚水池
２    集砂ピット
３    ポンプピット
６    揚砂ポンプ
７    揚砂管
８    仕切板
８１  整流板
９    昇降手段
１１  池底
１２  噴気流発生ノズル
Ｗ    索条
【図１】
0003689162.tif 000002
【図２】
0003689162.tif 000003
【図３】
0003689162.tif 000004
【図９】
0003689162.tif 000005
【図４】
0003689162.tif 000006
【図６】
0003689162.tif 000007
【図５】
0003689162.tif 000008
【図１１】
0003689162.tif 000009
【図１２】
0003689162.tif 000010
【図７】
0003689162.tif 000011
【図８】
0003689162.tif 000012
【図１０】
0003689162.tif 000013